(57)【特許請求の範囲】
【請求項１】
給紙された原稿の一方の面を読み取る第１読取手段と、
前記原稿の他方の面を読み取る第２読取手段と、
前記第１読取手段による前記原稿の一方の面の読み取りが終わった後、前記第１読取手段が前記原稿の他方の面を読み取り可能なように前記原稿を反転して給紙する反転手段と、
前記第１読取手段が前記原稿の一方の面を読み取り、前記反転手段による前記原稿の反転後に前記第１読取手段が前記原稿の他方の面を読み取る両面反転読取モードと、前記第１読取手段が前記原稿の一方の面を読み取り、前記第２読取手段が前記原稿の他方の面を読み取る両面同時読取モードのうち、何れか一方を設定するモード設定手段と、
前記モード設定手段によって設定された読取モードに従って、前記第１読取手段、前記第２読取手段及び前記反転手段に対して前記原稿の読み取りに関する動作制御を行う読取制御手段と、
前記第１読取手段及び前記第２読取手段による前記原稿の読み取り開始前に、該原稿の読み取り途中における前記両面反転読取モードと前記両面同時読取モードの切換指示の入力を受け付ける切換指示受付手段と、
所定の操作画面を表示する表示手段と、
前記原稿のページ範囲を示す数値を表示する複数のページ範囲表示欄を前記表示手段に表示させる制御を行うページ表示制御手段と、
前記各ページ範囲表示欄に対応して前記読取モードの選択状態を表示するモード表示欄を前記表示手段に表示させる制御を行うモード表示制御手段と、
を備え、
前記切換指示受付手段は、前記ページ表示制御手段によって前記ページ範囲表示欄が前記表示手段に表示されているときに、前記原稿のページ範囲を示す数値の入力を受け付けるページ受付手段と、前記モード表示制御手段によって前記モード表示欄が前記表示手段に表示されているときに、前記ページ受付手段が受け付けたページ範囲を示す数値に対応して前記両面反転読取モード又は前記両面同時読取モードの何れか一方の選択入力を受け付けるモード受付手段とを有し、
前記モード設定手段は、前記原稿において、前記ページ受付手段が受け付けた前記ページ範囲に相当するページを読み取る際の読取モードは、該ページ範囲に対応して前記モード受付手段が受け付けた読取モードに設定し、
前記読取制御手段は前記モード設定手段によって設定された読取モードに従って前記第１読取手段、前記第２読取手段及び前記反転手段の動作制御を行い、
前記モード表示制御手段は、前記モード受付手段による最初の入力受け付けに応じて、前記モード表示欄のうちユーザ所望の一の前記モード表示欄において前記モード受付手段が受け付けた一方の前記読取モードを選択状態として前記表示手段に表示させると共に、前記一のモード表示欄以外のモード表示欄については、前記一のモード表示欄を基準として他方の前記読取モードと前記一方の読取モードとを交互に選択状態にして前記表示手段に表示させる画像読取装置。
【請求項２】
給紙された原稿の一方の面を読み取る第１読取手段と、
前記原稿の他方の面を読み取る第２読取手段と、
前記第１読取手段による前記原稿の一方の面の読み取りが終わった後、前記第１読取手段が前記原稿の他方の面を読み取り可能なように前記原稿を反転して給紙する反転手段と、
前記第１読取手段が前記原稿の一方の面を読み取り、前記反転手段による前記原稿の反転後に前記第１読取手段が前記原稿の他方の面を読み取る両面反転読取モードと、前記第１読取手段が前記原稿の一方の面を読み取り、前記第２読取手段が前記原稿の他方の面を読み取る両面同時読取モードのうち、何れか一方を設定するモード設定手段と、
前記モード設定手段によって設定された読取モードに従って、前記第１読取手段、前記第２読取手段及び前記反転手段に対して前記原稿の読み取りに関する動作制御を行う読取制御手段と、
前記第１読取手段及び前記第２読取手段による前記原稿の読み取り開始前に、該原稿の読み取り途中における前記両面反転読取モードと前記両面同時読取モードの切換指示の入力を受け付ける切換指示受付手段と、
前記第１読取手段及び前記第２読取手段によって取得された画像データより前記原稿が白紙か否かを検知する白紙検知手段と、
を備え、
前記モード設定手段は前記切換指示受付手段が受け付けた切換指示に基づいて前記原稿の読み取り途中に前記読取モードを切り換えて設定し、
前記読取制御手段は該切り換えて設定された読取モードに従って前記第１読取手段、前記第２読取手段及び前記反転手段の動作制御を行い、
前記切換指示受付手段が前記切換指示の入力を受け付けたとき、前記モード設定手段によって設定された前記読取モードに関わらず、前記読取制御手段は前記原稿の一方の面を前記第１読取手段に読み取らせ、前記原稿の他方の面を前記第２読取手段に読み取らせる制御を行い、前記第１読取手段及び前記第２読取手段によって取得された画像データに基づいて前記白紙検知手段が前記白紙の原稿を検知し、
前記白紙検知手段によって前記原稿が白紙であると検知されたら、前記モード設定手段は前記白紙の原稿の次の原稿の読み取りから前記読取モードを切り換えて設定すると共に、前記モード設定手段によって前記両面反転読取モードが設定されている場合、前記読取制御手段は前記反転手段に対して該白紙の原稿を反転させない制御を行う画像読取装置。
【請求項３】
前記第１読取手段は縮小光学系イメージセンサを有し、前記第２読取手段は密着光学系イメージセンサを有することを特徴とする請求項１又は２に記載の画像読取装置。
【請求項４】
請求項１〜３の何れか一項に記載の画像読取装置と、
前記第１読取手段及び前記第２読取手段によって取得された画像データに基づいて記録媒体に画像を形成する画像形成手段と、
を備えた画像形成装置。
【発明の詳細な説明】
【技術分野】
【０００１】
本発明は、原稿の両面を読み取ることが可能な画像読取装置、及びこの画像読取装置を備えた画像形成装置に関するものである。
【背景技術】
【０００２】
従来、複写機やファクシミリ等が有するＡＤＦ（Automatic Document Feeder：自動原稿送り機能）を備えた画像読取装置において、画像読取部に原稿の表面及び裏面を自動的に読み取らせる方法として、原稿の表面の画像をイメージセンサが読み取った後、その原稿の表裏を反転させて、裏面の画像を再度イメージセンサが読み取る方法が広く採用されている。しかしこの方法は、イメージセンサが原稿の表面を読み取った後、一旦原稿が外部に排出されて表裏反転され、再度イメージセンサが原稿の裏面を読み取るため、両面の読み取りに時間がかかっていた。
【０００３】
そこで、特許文献１に記載されているように、原稿トレイからの原稿搬送路において原稿の表裏両面側にそれぞれイメージセンサを設けることで、原稿を反転させることなく１回の原稿給紙（ワンパス）で原稿の両面をほぼ同時に読み取る方法が知られている。このように原稿の両面をほぼ同時に読み取る方法を採用した画像読取装置では、原稿の表面の読み取りは縮小光学系イメージセンサが用いられる場合が多く、原稿の裏面の読み取りは、設置スペース、コスト等の関係上、密着光学系イメージセンサが用いられる場合が多い。しかし、原稿の表裏面を読み取るイメージセンサの光学的構成が異なると、印刷用紙の表裏面に形成された画像の画質に差が生じてしまう。
【０００４】
従って、以上のような画像読取装置においては、ユーザが原稿の両面の読取方法を選択できるようになっている。つまり、原稿の表裏面を別々に読み取るため画像の読み取りには時間がかかるが、印刷用紙の表裏面の画質を同一にするために同じイメージセンサ（縮小光学系イメージセンサ）で原稿の表裏面を読み取らせるモードと、画像の読取時間を短縮するために原稿の表裏面を縮小光学系と密着光学系の２つのイメージセンサを用いてほぼ同時に読み取らせるモードの２つの読取モードを設けて、ユーザが２つの読取モードを状況に応じて任意に選択できるようになっている。
【特許文献１】特開２００４−１５２９９号公報
【発明の開示】
【発明が解決しようとする課題】
【０００５】
上記のような画像読取装置に複数枚の原稿を読み取らせる場合、原稿のページによって読取モードを切り換えたい場面が発生する。例えば、白黒のページは読取時間の短い両面同時読取モードで、カラーのページは表裏面の画質を一致させるために両面反転読取モードで読み取らせることによって、２つの読取モードのメリットを効率的に生かせることができる。しかしながら、特許文献１には、原稿の読み取り途中での読取モードの切り換えを許可する技術については記載されていない。
【０００６】
本発明は、上記の問題を解決するためになされたもので、原稿の読み取り前になされるユーザ設定に応じた原稿読み取り途中での読取モードの切り換えを可能とし、利便性の高い画像読取装置及び画像形成装置を提供することを目的とするものである。
【課題を解決するための手段】
【０００７】
本発明における画像読取装置は、給紙された原稿の一方の面を読み取る第１読取手段と、前記原稿の他方の面を読み取る第２読取手段と、前記第１読取手段による前記原稿の一方の面の読み取りが終わった後、前記第１読取手段が前記原稿の他方の面を読み取り可能なように前記原稿を反転して給紙する反転手段と、前記第１読取手段が前記原稿の一方の面を読み取り、前記反転手段による前記原稿の反転後に前記第１読取手段が前記原稿の他方の面を読み取る両面反転読取モードと、前記第１読取手段が前記原稿の一方の面を読み取り、前記第２読取手段が前記原稿の他方の面を読み取る両面同時読取モードのうち、何れか一方を設定するモード設定手段と、前記モード設定手段によって設定された読取モードに従って、前記第１読取手段、前記第２読取手段及び前記反転手段に対して前記原稿の読み取りに関する動作制御を行う読取制御手段と、前記第１読取手段及び前記第２読取手段による前記原稿の読み取り開始前に、該原稿の読み取り途中における前記両面反転読取モードと前記両面同時読取モードの切換指示の入力を受け付ける切換指示受付手段と、所定の操作画面を表示する表示手段と、前記原稿のページ範囲を示す数値を表示する複数のページ範囲表示欄を前記表示手段に表示させる制御を行うページ表示制御手段と、前記各ページ範囲表示欄に対応して前記読取モードの選択状態を表示するモード表示欄を前記表示手段に表示させる制御を行うモード表示制御手段と、を備え、前記切換指示受付手段は、前記ページ表示制御手段によって前記ページ範囲表示欄が前記表示手段に表示されているときに、前記原稿のページ範囲を示す数値の入力を受け付けるページ受付手段と、前記モード表示制御手段によって前記モード表示欄が前記表示手段に表示されているときに、前記ページ受付手段が受け付けたページ範囲を示す数値に対応して前記両面反転読取モード又は前記両面同時読取モードの何れか一方の選択入力を受け付けるモード受付手段とを有し、前記モード設定手段は、前記原稿において、前記ページ受付手段が受け付けた前記ページ範囲に相当するページを読み取る際の読取モードは、該ページ範囲に対応して前記モード受付手段が受け付けた読取モードに設定し、前記読取制御手段は前記モード設定手段によって設定された読取モードに従って前記第１読取手段、前記第２読取手段及び前記反転手段の動作制御を行い、前記モード表示制御手段は、前記モード受付手段による最初の入力受け付けに応じて、前記モード表示欄のうちユーザ所望の一の前記モード表示欄において前記モード受付手段が受け付けた一方の前記読取モードを選択状態として前記表示手段に表示させると共に、前記一のモード表示欄以外のモード表示欄については、前記一のモード表示欄を基準として他方の前記読取モードと前記一方の読取モードとを交互に選択状態にして前記表示手段に表示させるものである。
【００１２】
この構成によれば、読取モードの設定をページ単位で行うことができる。例えば、読み取った画像の高画質化を求めない場合が多い白黒ページは読取時間の短い両面同時読取モードで、読み取った画像の高画質化、又は両面の画質の一致を求める場合が多いカラーページは両面反転読取モードで読み取るよう、ページ単位で読取モードを設定することにより、各読取モードのメリットを生かした効率的な両面読み取りを行うことができる。
【００１４】
また、ページ範囲及び読取モードの選択入力画面を表示手段に表示させることにより、ユーザに操作をスムーズに行わせることができる。また、モード受付手段が最初に選択入力を受け付けたら、最初に入力を受け付けたユーザ所望のモード表示欄を基準として他の各モード表示欄の表示を読取モードが交互に選択状態になるように表示することにより、ユーザの選択操作の手間を少なくすることができ、ユーザにとって使い勝手のよい画像読取装置を実現することができる。
【００１７】
本発明における画像読取装置は、給紙された原稿の一方の面を読み取る第１読取手段と、前記原稿の他方の面を読み取る第２読取手段と、前記第１読取手段による前記原稿の一方の面の読み取りが終わった後、前記第１読取手段が前記原稿の他方の面を読み取り可能なように前記原稿を反転して給紙する反転手段と、前記第１読取手段が前記原稿の一方の面を読み取り、前記反転手段による前記原稿の反転後に前記第１読取手段が前記原稿の他方の面を読み取る両面反転読取モードと、前記第１読取手段が前記原稿の一方の面を読み取り、前記第２読取手段が前記原稿の他方の面を読み取る両面同時読取モードのうち、何れか一方を設定するモード設定手段と、前記モード設定手段によって設定された読取モードに従って、前記第１読取手段、前記第２読取手段及び前記反転手段に対して前記原稿の読み取りに関する動作制御を行う読取制御手段と、前記第１読取手段及び前記第２読取手段による前記原稿の読み取り開始前に、該原稿の読み取り途中における前記両面反転読取モードと前記両面同時読取モードの切換指示の入力を受け付ける切換指示受付手段と、前記第１読取手段及び前記第２読取手段によって取得された画像データより前記原稿が白紙か否かを検知する白紙検知手段と、を備え、前記モード設定手段は前記切換指示受付手段が受け付けた切換指示に基づいて前記原稿の読み取り途中に前記読取モードを切り換えて設定し、前記読取制御手段は該切り換えて設定された読取モードに従って前記第１読取手段、前記第２読取手段及び前記反転手段の動作制御を行い、前記切換指示受付手段が前記切換指示の入力を受け付けたとき、前記モード設定手段によって設定された前記読取モードに関わらず、前記読取制御手段は前記原稿の一方の面を前記第１読取手段に読み取らせ、前記原稿の他方の面を前記第２読取手段に読み取らせる制御を行い、前記第１読取手段及び前記第２読取手段によって取得された画像データに基づいて前記白紙検知手段が前記白紙の原稿を検知し、前記白紙検知手段によって前記原稿が白紙であると検知されたら、前記モード設定手段は前記白紙の原稿の次の原稿の読み取りから前記読取モードを切り換えて設定すると共に、前記モード設定手段によって前記両面反転読取モードが設定されている場合、前記読取制御手段は前記反転手段に対して該白紙の原稿を反転させない制御を行うものである。
【００１８】
この構成によれば、読取モードを切り換えたい原稿の直前に白紙原稿を挿入して原稿束の読み取りを行わせることにより、ユーザは所望のページで読取モードを切り換えさせることができ、画像読取装置の利便性を向上させることができる。更に、何れの読取モードであっても第１読取手段及び第２読取手段を用いて原稿の両面読み取りを行うことにより、両面反転読取モードが設定されているときに原稿の表面読み取り後に該原稿を反転させて裏面読み取りを行わなくても白紙の原稿であることを検知することができる。従って、白紙の原稿を無駄に反転させることがないため、読取時間を短縮することができる。尚、両面反転読取モードが設定されているとき、第２読取手段が取得した画像データはあくまで白紙の原稿を検知するために使用され、反転手段によって反転再給紙された原稿の裏面を第１読取手段が読み取ることによって該原稿の表裏面の画像データが揃うこととなる。
【００１９】
また、上記構成において、前記第１読取手段は縮小光学系イメージセンサを有し、前記第２読取手段は密着光学系イメージセンサを有することが好ましい。
【００２０】
この構成によれば、上記構成と同様の効果を奏することができる。尚、第１読取手段は縮小光学系イメージセンサを有し、第２読取手段は密着光学系イメージセンサを有することとしたが、その逆であってもよい。
【００２１】
また、本発明における画像形成装置は、上記構成の画像読取装置と、前記第１読取手段及び前記第２読取手段によって取得された画像データに基づいて記録媒体に画像を形成する画像形成手段と、を備えたものである。
【００２２】
この構成によれば、画像形成装置が備える画像読取装置が上記構成と同様の作用効果を享受することができる。
【発明の効果】
【００２５】
本発明によれば、読取モードの設定をページ単位で行うことができる。例えば、読み取った画像の高画質化を求めない場合が多い白黒ページは読取時間の短い両面同時読取モードで、読み取った画像の高画質化、又は両面の画質の一致を求める場合が多いカラーページは両面反転読取モードで読み取るよう、ページ単位で読取モードを設定することにより、各読取モードのメリットを生かした効率的な両面読み取りを行うことができる。
【００２６】
また、ページ範囲及び読取モードの選択入力画面を表示手段に表示させることにより、ユーザに操作をスムーズに行わせることができる。また、モード受付手段が最初に選択入力を受け付けたら、最初に入力を受け付けたユーザ所望のモード表示欄を基準として他の各モード表示欄の表示を読取モードが交互に選択状態になるように表示することにより、ユーザの選択操作の手間を少なくすることができ、ユーザにとって使い勝手のよい画像読取装置を実現することができる。
【００２７】
そして、本発明によれば、読取モードを切り換えたい原稿の直前に白紙原稿を挿入して原稿束の読み取りを行わせることにより、ユーザは所望のページで読取モードを切り換えさせることができ、画像読取装置の利便性を向上させることができる。
【００２８】
また、何れの読取モードであっても第１読取手段及び第２読取手段を用いて原稿の両面読み取りを行うことにより、両面反転読取モードが設定されているときに原稿の表面読み取り後に該原稿を反転させて裏面読み取りを行わなくても白紙の原稿であることを検知することができる。従って、白紙の原稿を無駄に反転させることがないため、読取時間を短縮することができる。
【発明を実施するための最良の形態】
【００３１】
以下、本発明の一実施形態に係る画像読取装置及び画像形成装置について図面を参照して説明する。尚、以下の実施形態では、本発明における画像読取装置及び画像形成装置を、コピー、スキャナ、ファクシミリ、プリンタ等の機能を備えた複合機に集約した形態を例に説明する。
〔第１の実施の形態〕
図１は本実施の形態における複合機１の内部構成を模式的に示した縦断面図である。複合機１は大きく分けると画像読取装置２と装置本体３とからなる。画像読取装置２は、原稿給紙部２１とスキャナ部（第１読取手段）２２を備えて構成される。原稿給紙部２１はＡＤＦを実現するものであり、原稿トレイ２１１、給紙ローラ２１２、搬送ドラム２１３、排紙ローラ２１４及び排紙トレイ２１５を有する。原稿トレイ２１１は原稿が載置される場所であり、原稿トレイ２１１に載置された原稿は１枚ずつ給紙ローラ２１２によって取り込まれて搬送ドラム２１３へ搬送される。搬送ドラム２１３を経由した原稿は排紙ローラ２１４によって排紙トレイ２１５へ排出される。
【００３２】
スキャナ部２２は、原稿の画像を光学的に取得して画像データを生成するものであり、プラテンガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を有する。また、本実施の形態では、第１読取手段が有する縮小光学系イメージセンサとしてＣＣＤ２２９を用いたものを例に説明するが、ＣＣＤ以外にＣＭＯＳ（Complementary Metal Oxide Semiconductor）イメージセンサを用いたものであってもよい。
【００３３】
プラテンガラス２２１は原稿を載置する場所であり、光源２２２及び第１ミラー２２３は第１キャリッジ２２６によって支持され、第２ミラー２２４及び第３ミラー２２５は第２キャリッジ２２７によって支持されている。
【００３４】
ここで、画像読取装置２の原稿読取方法として、プラテンガラス２２１上に載置された原稿をスキャナ部２２が読み取るフラットベッド読取モードと、原稿をＡＤＦによって取り込み、その搬送途中で原稿を読み取るＡＤＦ読取モードがある。フラットベッド読取モードでは、光源２２２がプラテンガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像を同時に処理する。１ライン分の読み取りが終了すると、主走査方向と直交する方向（副走査方向、矢印Ｙ方向）に第１キャリッジ２２６及び第２キャリッジ２２７が移動され、次のラインの読み取りが行われる。
【００３５】
ＡＤＦ読取モードでは、給紙トレイ２１１に載置された原稿が給紙ローラ２１２によって１枚ずつ取り込まれ、搬送ドラム２１３から排紙トレイ２１５への搬送経路に設けられた読取窓２３０上を原稿が通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。尚、以下の説明において、特に記載のないものについては、ＡＤＦ読取モードによって原稿を自動給紙し、画像の読み取りを行うことを前提に説明を行う。
【００３６】
更に、原稿給紙部２１は切換ガイド２１６、反転ローラ２１７及び反転搬送路２１８からなる原稿反転機構（反転手段）を有する。１回目のＡＤＦ読み取りによって表面（原稿の一方の面）が読み取られた原稿を原稿反転機構を用いて反転させて再搬送することによって、再度ＣＣＤ２２９によって裏面（原稿の他方の面）の読み取りが行わせることができる。この原稿反転機構は、両面読み取り時にのみ動作し、片面読み取り時は動作しない。片面読み取り時及び両面読み取り時において裏面の読み取り後、切換ガイド２１６は上側に切り替えられ、搬送ドラム２１３を経た原稿は排紙ローラ２１４によって排紙トレイ２１５に排紙される。両面読み取り時における表面読み取り後、切換ガイド２１６は下側に切り替えられ、搬送ドラム２１３を経た原稿は反転ローラ２１７のニップ部へ搬送される。その後、切換ガイド２１６は上側へ切り替わって反転ローラ２１７が逆回転することにより、原稿は反転搬送路２１８を介して搬送ドラム２１３へ再搬送される。以下、原稿反転機構を用いて原稿の両面を読み取らせるモードを両面反転読取モード又は高画質モードと表記する。
【００３７】
更に、本実施の形態の画像読取装置２は、ＡＤＦ読取モード時において、上記で説明したように原稿の搬送途中でＣＣＤ２２９によって原稿の表面の読み取りを行わせると同時に、ＣＩＳ（第２読取手段）２３１によって原稿の裏面の読み取りを行わせることが可能である。つまり、給紙トレイ２１１から給紙された原稿は読取窓２３０上を通過するときにＣＣＤ２２９によって表面が読み取られ、更にＣＩＳ２３１を通過する際に裏面が読み取られる。このようにＣＣＤ２２９とＣＩＳ２３１を用いることでワンパスで原稿の両面の読み取りが可能となる。以下、ＣＣＤ２２９とＣＩＳ２３１を用いて原稿の両面を読み取らせるモードを両面同時読取モード又は高速モードと表記する。
【００３８】
ここで、両面反転読取モード（高画質モード）と両面同時読取モード（高速モード）について説明する。両面反転読取モードでは原稿両面の読み取りが同じイメージセンサ（ＣＣＤ２２９）によって行われるため、読み取った表裏面それぞれの画像の画質に差はない。しかし、両面同時読取モードでは原稿の表面はＣＣＤ２２９、裏面はＣＩＳ２３１という異なるイメージセンサで読み取りが行われるため、それぞれのイメージセンサが取得した画像データに基づいて両面印刷を行うと、両面の印刷画像の画質に差が生じてしまう。特にカラー印刷を行うと読み取った表裏面それぞれの画質の差が顕著に表れる。原因としては、スキャナ部２２は光源２２２として冷陰極蛍光管等の白色蛍光ランプを用いていることに対し、ＣＩＳ２３１は光源として３色ＬＥＤ等（不図示）を用いている。この光源の違いにより、スキャナ部２２による画像読み取りの方が色再現性に優れていることが知られている。また、これら各光源の分光分布の違いによるものの他に、ＣＣＤ２２９は複数の受光素子がワンチップ上に形成されてイメージセンサとして構成されているのに対し、ＣＩＳ２３１においては複数の固体撮像素子が連結されてイメージセンサとして構成されているため固体撮像素子間に感度のバラつきが生じ、これが画質の差の原因となっていると考えられている。
【００３９】
尚、本実施の形態においては、スキャナ部２２は第１読取手段に相当し、ＣＩＳ２３１は第２読取手段に相当するものとして説明するが、その逆の構成であっても構わない。更に、第１読取手段及び第２読取手段が同じ光学系イメージセンサで構成されていても構わない。
【００４０】
従って、本実施の形態の複合機１においては、ＡＤＦを用いて原稿の両面読み取りを行う際、ユーザは高画質モード（両面反転読取モード）又は高速モード（両面同時読取モード）の何れかを選択することができる。つまり、両面の印刷画像の画質を揃えたい場合は高画質モード（両面反転読取モード）、両面の印刷画像の画質に差はあっても、読取時間の短縮化を優先させたい場合は高速モード（両面同時読取モード）と、ユーザは状況に応じて読取モードを選択することができる。
【００４１】
複合機１の構成の説明に戻る。複合機１は、装置本体３と、装置本体３の左方に配設されたスタックトレイ６とを有している。装置本体３は、複数の給紙カセット４６１と、給紙カセット４６１から用紙（記録媒体）を１枚ずつ繰り出して記録部（画像形成手段）４０へ搬送する給紙ローラ４６２と、給紙カセット４６１から搬送されてきた用紙に画像を形成する記録部４０とを備える。更に手差しトレイ４７１を備え、この手差しトレイ４７１からは何れの給紙カセットにも収納されていないサイズの用紙や、既に一方の面に画像形成がなされている用紙（裏紙）、ＯＨＰシートのような任意の記録媒体が載置可能であり、給紙ローラ４７２によって１枚ずつ装置本体３内に給紙される。
【００４２】
記録部４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、感光体ドラム４３の表面に静電潜像を形成する露光装置４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｃ、４４Ｍ、４４Ｙ、４４Ｋと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、不図示のトナー供給容器（トナーカートリッジ）から行われる。また、記録部４０を通過した用紙をスタックトレイ６又は排出トレイ４８まで搬送する搬送ローラ４６３及び４６４等が設けられている。
【００４３】
用紙の両面に画像を形成する場合は、記録部４０によって用紙の一方の面に画像の形成が施された後、この用紙を排出トレイ４８側の搬送ローラ４６３にニップされた状態にする。この状態で搬送ローラ４６３を逆回転させて用紙をスイッチバックさせ、用紙を用紙搬送路Ｌに送って記録部４０の上流域に再度搬送し、記録部４０によって他方の面に画像の形成が施された後、用紙をスタックトレイ６又は排出トレイ４８に排出する。
【００４４】
また、装置本体３の前方には、ユーザが操作画面や各種メッセージ等を視認することができる表示部や、種々の操作命令を入力するための操作ボタンを有する操作部５が備えられている。図２及び３は操作部５の正面図の一例である。操作部５は、表示部（表示手段）５１、タッチパネル（切換指示受付手段、ページ受付手段、モード受付手段）５２、数字キー群５３、各種操作ボタン５４〜５７、機能選択ボタン５８等を備える。表示部５１は、ＬＣＤ（Liquid Crystal Display）やＥＬＤ（Electronic Luminescent Display）等によって構成され、紙サイズ選択、倍率選択、濃度選択等の選択画面が表示される。この表示部５１はタッチパネル５２と一体的に形成されている。タッチパネル５２は、ユーザによるタッチ操作がなされたら、タッチ位置を検出して検出信号を後述する制御部へ出力するものである。
【００４５】
数字キー群５３は、例えば、複合機１のコピー機能動作中はコピー枚数を、ファクシミリ機能動作中は送信先の電話番号等をユーザが入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００４６】
図３は、複合機１の電気的構成を示すブロック図である。複合機１は、原稿給紙部２１、スキャナ部２２、ＣＩＳ２３１、操作部５、制御部（読取制御手段）６１、画像処理部６４、記録部４０及び通信部６５を備えて構成される。尚、図１及び図２において説明した構成要素と同じものには同じ符号を付して詳しい説明を省略する。
【００４７】
原稿給紙部２１は、原稿トレイ２１１に載置された原稿を自動的に取り込んで、ＣＣＤ２２９やＣＩＳ２３１による原稿の読み取りが可能なように搬送するものであり、ＡＤＦを実現するものである。スキャナ部２２及びＣＩＳ２３１は、原稿の画像を光学的に取得して画像データを生成するものである。
【００４８】
操作部５は、コピー機能、スキャナ機能、ファクシミリ機能及びプリンタ機能等に関する操作入力を受け付けるものである。そして操作入力に応じた操作信号を制御部６１へ出力する。操作部５は、図２に示すタッチパネル５２、数字キー群５３、操作ボタン５４〜５７、機能選択ボタン５８等に相当し、更に操作部５は表示部５１を含む。ユーザが表示部５１に表示された操作キーの上を押下すると、表示部５１と一体的に構成されたタッチパネル５２が押下された位置を検出し、位置情報を制御部６１へ出力する。そして制御部６１によって押下されたキーに対応する処理が行われる。
【００４９】
制御部６１は、ＣＰＵ等によって構成され、入力された指示信号等に応じて所定のプログラムに基づいた処理を実行し、各機能部への指示信号の出力、データ転送等を行って複合機１を統括的に制御するものである。また制御部６１はモード設定部（モード設定手段）６１１、ページ表示制御部（ページ表示制御手段）６１２及びモード表示制御部（モード表示制御手段）６１３を有する。モード設定部６１１は、ユーザによる読取モードの選択入力に応じて、両面反転読取モード又は両面同時読取モードの何れか一方の読取モードを設定する。制御部６１はモード設定部６１１が設定した読取モードに基づいて、原稿給紙部２１、スキャナ部２２及びＣＩＳ２３１等に対して原稿読み取りに必要な制御を行い、原稿の給紙・搬送や画像読み取り等を行わせる。
【００５０】
ページ表示制御部６１２及びモード表示制御部６１３は、ページ単位で原稿の読取モードを切り換えて設定する指示入力がユーザによってなされたときの操作画面の表示制御を表示部５１に対して行うものであり、詳しいことは図を用いて後述する。
【００５１】
画像処理部６４は、画像データに関する各種画像処理を行うものである。例えば、画像処理部６４は、スキャナ部２２やＣＩＳ２３１によって取得された画像データや、外部装置から通信部６６を介して転送された画像データに対して、レベル補正、ガンマ補正等の補正処理、画像データの圧縮又は伸長処理、拡大又は縮小処理などの画像加工処理を行う。更に、ユーザによって選択された機能に従って、画像データに対して所定の画像処理を施す。
【００５２】
記録部４０は、スキャナ部２２によって得られた画像データや、外部装置から通信部６６を介して転送された画像データに基づいた画像を所定の用紙に白黒又はカラーで印刷する。
【００５３】
通信部６５は、ネットワークインターフェースを用い、ネットワークを介して接続されたコンピュータやファクシミリ等の外部装置との間で種々のデータの送受信を行うものである。
【００５４】
図４〜６は、表示部５１の画面例を示したものであり、図７は原稿の両面印刷の処理の流れを示したフローチャートである。本実施の形態における原稿の両面印刷の処理の流れを図４〜７を用いて説明する。
【００５５】
図４は、複合機１のコピー機能動作中、ユーザによるタッチパネル５２へタッチ操作によって両面／分割機能が選択されたときに表示部５１に表示される画面である。画面では、原稿の片面を読み取って片面印刷するキー１０３、原稿の片面を読み取って両面印刷するキー１０４、原稿の両面を読み取って片面印刷するキー１０５、原稿の両面を読み取って両面印刷するキー１０６、見開き原稿を読み取って片面印刷するキー１０７、見開き原稿を読み取って両面印刷するキー１０８等の設定キーが表示される。
【００５６】
キー１０５又はキー１０６が選択されると、制御部６１は図５に示すように表示部５１の表示領域の中央部付近に高画質モードキー１０９、高速モードキー１１０及びページ別モード切換キー１１１を表示させる。高画質モードキー１０９は原稿の両面を両面反転読取モードで読み取らせたいときに選択するキーであり、高速モードキー１１０は原稿の両面を両面同時読取モードで読み取らせたいときに選択するキーである。ページ別モード切換キー１１１は、ページ単位で両面反転読取モード又は両面同時読取モードを切り換えて原稿の読み取りを行いたいときに選択するキーである。このページ別モード切換キー１１１がユーザによって押下されると、制御部６１は図６に示すようなページ別モード設定画面を表示部５１に表示する（図７のステップＳ１１）。
【００５７】
ページ別モード設定画面は、ページ範囲と、そのページ範囲の読み取りを行う際に実行したい読取モードの選択入力を受け付ける画面である。ページ表示制御手段６１２は、ユーザによるページ範囲の入力を受付可能な形式でページ表示欄１２１、１２２及び１２３（以下、包括的に「ページ表示欄１２０」と表記する）を表示部５に表示させる。ページ範囲の入力を受付可能な形式として、図６ではページ表示欄１２０がユーザによってタッチされると、ページ番号をプルダウン表示される場合について図示している。ユーザはプルダウン表示されたページ番号から読取モードを切り換えたいページの直前のページ番号をタッチする。すると、ページ表示制御部６１２はタッチされたページ番号を選択状態としてページ表示欄１２０に表示する。図６において、ページ表示欄１２１はページ番号“３”、ページ表示欄１２２はページ番号“６”が選択状態となっている。尚、プルダウン表示されたページ番号から選択する方法以外に、ユーザが数字キー５３からページ範囲を直接入力するようにしてもよい。この場合、ページ受付手段は数字キー５３に相当し、ユーザによる押下によって出力される数字キー５３の押下信号を制御部６１が受けて、ページ表示制御部６１２が押下された数字キー５３に対応する数字をページ表示欄１２０に表示させる。
【００５８】
更にモード表示制御部６１３はページ表示欄１２０のそれぞれに対応するように両面反転読取モードを示す“高画質モード”と両面同時読取モードを示す“高速モード”の選択入力を受付可能な形式でモード表示欄１３１、１３２及び１３３（以下、包括的に「モード表示欄１３０」と表記する）を表示部５１に表示させる。選択入力を受付可能な形式でとして、図６ではモード表示欄１３０がユーザによってタッチされると、“高画質モード”と“高速モード”の２つの読取モードがプルダウン表示される場合について図示している。ユーザはプルダウン表示された読取モードから対応するページ表示欄１２０にて選択されたページ範囲を読み取る際に実行させたい読取モードをタッチする。例えば、ユーザが１〜３ページまでは両面同時読取モード、４〜６ページまでは両面反転読取モードにて原稿の読み取りを行わせたい場合は、モード表示欄１３１にて“高速モード”、モード表示欄１３２にて“高画質モード”と選択すればよい。尚、読取モードをプルダウン表示する方法以外に、高画質モード又は高速モードを択一的に選択できるラジオボタンを表示させてもよい。
【００５９】
また、モード表示欄１３０の何れか１つにおいて最初に読取モードの選択がなされたら、モード表示制御部６１３はそのモード表示欄において選択された読取モードを選択状態として表示部５１に表示させると共に、そのモード表示欄以外のモード表示欄においては、最初に選択されたモード表示欄を基準として、２つの読取モードが交互に選択状態となるように自動的に表示を切り換えてもよい。つまり、図６に示すように、モード表示欄１３１において“高速モード”が選択された場合、モード表示制御部６１３はモード表示欄１３１において“高速モード”を選択状態として表示させると共に、モード表示欄１３２は“高画質モード”、モード表示欄１３３は“高速モード”が選択状態になるように表示に切り換える。１つのモード表示欄１３０を選択すれば、他のモード表示欄１３０の選択状態が自動的に切り換わるため、ユーザの選択操作の手間を少なくすることができる。
【００６０】
ユーザによってページ範囲の入力と読取モードの選択入力がなされ（ステップＳ１２）、スタートボタン５５が押下されたら（ステップＳ１３；ＹＥＳ）、制御部６１は内部メモリ（不図示）に変数ｎを設定し、変数ｎの初期値を‘１’に設定する（ステップＳ１４）。そしてモード設定部６１１は、読取モードをｎ番目のモード表示欄１３０（ｎ＝１のときは、モード表示欄１３１）にて選択された読取モードに設定する（ステップＳ１５）。続いてモード設定部６１１にて設定された読取モードに基づいて、制御部６１は原稿給紙部２１に対して原稿を給紙させ、スキャナ部２２及びＣＩＳ２３１に対して原稿の画像の読み取りを行わせる（ステップＳ１６）。
【００６１】
原稿トレイ２１１に原稿がまだ載置されており（ステップＳ１７；ＮＯ）、ｎ番目のページ表示欄１２０（ｎ＝１のときは、ページ表示欄１２１）にて選択されたページの原稿の読み取りが終了していない場合（ステップＳ１８；ＮＯ）、制御部６１はステップＳ１６へ処理を移行する。選択されたページの原稿の読み取りが終了した場合（ステップＳ１８；ＹＥＳ）、制御部６１は変数ｎをインクリメントし（ステップＳ１９）、ステップＳ１５へ処理を移行する。
【００６２】
例えば変数ｎがインクリメントされてｎ＝２となったとき、モード設定部６１１はモード表示欄１３２にて選択された読取モードに設定を切り換え、制御部６１は切り換えて設定された読取モードに基づいてページ表示欄１２２にて選択されたページ番号まで原稿の読み取りを行わせる。つまり、図６に示すような設定がなされている場合、原稿の先頭ページから３ページまでは高速モード（両面同時読取モード）にて読み取りが行われ、４ページから６ページまでは高画質モード（両面反転読取モード）に切り換えられて読み取りが行われる。
【００６３】
そして原稿トレイ２１１に載置された原稿がなくなったとき（ステップＳ１７；ＹＥＳ）、制御部６１は画像処理部６４に対してＣＣＤ２２９及びＣＩＳ２３１によって取得された画像データの画像処理を行わせ、処理後の画像データに基づいた画像の印刷を記録部４０に行わせる（ステップＳ２０）。そして処理を終了する。尚、他の原稿の読み取り途中であっても、両面読み取りが完了した原稿に対応する画像から随時印刷を行うようにしてもよい。
【００６４】
以上、説明したように、原稿の読み取り前に原稿のページ単位で両面反転読取モード又は両面同時読取モードの設定を行うことができ、その設定に従って、原稿の読み取り途中で読取モードが切り換えられることにより、例えば白黒のページは読取時間の短い両面同時読取モードで、カラーのページは画質のよい両面反転読取モードにて原稿の読み取りを行わせるなど、それぞれの読取モードのメリットを生かして効率的に原稿読み取りを行わせることができる。
〔第２の実施の形態〕
第１の実施の形態では、原稿の読み取り前にページ別モード設定画面においてページ範囲と読取モードを設定し、その設定内容に従って原稿の読み取り途中で読取モードが切り換わる複合機１について説明した。第２の実施の形態では、原稿の読み取り途中に白紙原稿を検知したら読取モードが切り換わる複合機について説明する。
【００６５】
図８は、第２の実施の形態における複合機１００の電気的構成を示すブロック図である。図７に示おいて、図３に示すブロック図と同様の構成要素については同じ符号を付して説明を省略し、異なる部分のみ説明する。
【００６６】
制御部６１は、モード設定部６１１と白紙検知部（白紙検知手段）６２１を有して構成される。モード設定部６１１は、ユーザによる読取モードの選択入力に応じて、両面反転読取モード又は両面同時読取モードの何れか一方の読取モードを設定する。白紙検知部６２１はスキャナ部２２及びＣＩＳ２３１によって取得された原稿の両面の画像データを解析し、原稿が両面白紙か否かを判別する。判別方法としては、例えば画像データの各画素情報等に基づいて黒画素を計数し、黒画素が所定数以下の場合は白紙であると判別する。両面が白紙の白紙原稿であると判別したとき、白紙検知部６２１はモード設定部６１１に対して制御信号を出力する。モード設定部６１１は白紙検知部６２１からの制御信号を受けて、設定中の読取モードを切り換える。
【００６７】
図９は、表示部５１の画面例を示したものであり、図１０は、白紙原稿を検知したら読取モードを切り換える機能を実行させたときの両面印刷の処理の流れを示したフローチャートである。本実施の形態における原稿の両面印刷の処理の流れを図９及び１０を用いて説明する。
【００６８】
図９は、複合機１００のコピー機能動作中、ユーザによるタッチパネル５２へタッチ操作によって両面／分割機能が選択され、更に両面読み取りが必要な機能を示すキー１０５又はキー１０６が選択されたときに表示される画面例である。キー１０５又はキー１０６が選択されると、制御部６１は表示部５１に高画質モードキー１０９及び高速モードキー１１０と、ユーザが白紙モード切換の可否を選択するためのキー１４１及びキー１４２を表示させる。白紙モード切換とは、原稿の読み取り途中で白紙原稿が検知されたとき、読取モードが切り換えて設定され、その切り換えられた読取モードに従って原稿読み取りの処理が引き続き行われる機能のことである。この白紙モード切換の機能を実行させる場合はキー１４１を、実行しない場合はキー１４２を選択する。
【００６９】
ユーザはまず原稿の先頭ページを読み取る際の読取モードを高画質モードキー１０９又は高速モードキー１１０を押下して選択する。制御部６１はタッチパネル５２上の押下位置から何れのキーが選択されたかを検出し、モード設定部６１１は選択されたキーに対応する読取モードを設定する（図１０のステップＳ２１）。そしてスタートボタン５５が押下されたら（ステップＳ２２；ＹＥＳ）、モード設定部６１１にて設定された読取モードに基づいて、制御部６１は原稿給紙部２１に対して原稿を給紙させ、スキャナ部２２及びＣＩＳ２３１に対して原稿の読み取りを行わせる（ステップＳ２３）。
【００７０】
ここで、スキャナ部２２による原稿の表面の読み取りとほぼ同時にＣＩＳ２３１による原稿の裏面の読み取りが行われ、スキャナ部２２及びＣＩＳ２３１によって取得された画像データを解析して白紙検知部６２１は原稿が両面白紙か否かを判別する（ステップＳ２４）。尚、両面反転読取モードが設定されている場合、ＣＩＳ２３１が取得した画像データはあくまで白紙を検知するために使用するものであって印刷処理には用いず、反転再給紙された原稿の裏面をスキャナ部２２が読み取ることによって表裏面の画像データが揃うことになる。何れの読取モードでも原稿の最初の搬送時に両面の読み取りを行わせることにより、両面反転読取モード時に原稿を反転させて裏面の読み取りを行わなくても白紙原稿を検知することができる。従って、白紙原稿を反転させることなくそのまま排紙トレイ２１５へ排紙することができ、読取時間を短縮することができる。
【００７１】
原稿トレイ２１１に原稿がまだ載置されており（ステップＳ２５；ＮＯ）、白紙検知部６２１がステップＳ２３において読み取られた原稿が白紙原稿であると判別した場合（ステップＳ２６；ＹＥＳ）、モード設定部６１１は読取モードを切り換えて設定する（ステップＳ２７）。そして制御部６１はステップＳ２３へ処理を移行する。原稿トレイ２１１に載置された原稿がなくなったとき（ステップＳ２５；ＹＥＳ）、制御部６１は画像処理部６４に対してＣＣＤ２２９及びＣＩＳ２３１によって取得された画像データの画像処理を行わせ、処理後の画像データに基づいた画像の印刷を記録部４０に行わせる（ステップＳ２８）。そして処理を終了する。
【００７２】
以上、説明したように、画像読取装置２によって読み取られた原稿のうち、白紙検知部６２１が白紙原稿を検知したらモード設定部６１１が読取モードを切り換えるようにすることにより、ユーザは所望のページで読取モードの切り換えを行うことができる。これにより、画像読取装置２の利便性を向上させることができる。
【図面の簡単な説明】
【００７３】
【図１】複合機の内部構成を模式的に示した縦断面図。
【図２】操作部の正面図。
【図３】第１の実施の形態における複合機の電気的構成を示すブロック図。
【図４】第１の実施の形態における表示部の画面例。
【図５】第１の実施の形態における表示部の画面例。
【図６】第１の実施の形態における表示部の画面例。
【図７】第１の実施の形態における印刷処理の流れを示したフローチャート。
【図８】第２の実施の形態における複合機の電気的構成を示すブロック図。
【図９】第２の実施の形態における表示部の画面例。
【図１０】第２の実施の形態における印刷処理の流れを示したフローチャート。
【符号の説明】
【００７４】
１      複合機                        ３      装置本体
２      画像読取装置                  ５      操作部
２１    原稿給紙部                    ５１    表示部
２１１  原稿トレイ                    ５２    タッチパネル
２１２  給紙ローラ                    ５３    数字キー群
２１３  搬送ドラム                    ６１    制御部
２１４  排紙ローラ                    ６１１  モード設定部
２１５  排紙トレイ                    ６１２  ページ表示制御部
２１６  切替ガイド                    ６１３  モード表示制御部
２１７  反転ローラ                    ６２１  白紙検知部
２１８  反転搬送路                    ６４    画像処理部
２２    スキャナ部                    ４０    記録部
２２２  光源                          ６５    通信部
２２８  結像レンズ
２２９  ＣＣＤ
２３０  読取窓
２３１  ＣＩＳ
【図１】
0004990732.tif 000002
【図２】
0004990732.tif 000003
【図３】
0004990732.tif 000004
【図４】
0004990732.tif 000005
【図５】
0004990732.tif 000006
【図７】
0004990732.tif 000007
【図８】
0004990732.tif 000008
【図９】
0004990732.tif 000009
【図１０】
0004990732.tif 000010
【図６】
0004990732.tif 000011